(57)【要約】【課題】焼き付きの発生を防止した電気光学装置を提供する。【解決手段】電気光学パネルの複数の走査線に対して、選択信号を選択期間に与え、非選択信号を非選択期間に与えて、順次走査し、この走査に同期しながら、複数のデータ線に所定の画素に対して所定の階調でパルス幅変調されたデータ信号を出力し、階調表示を行う電気光学装置の駆動方法であって、パルス幅変調のデューティー比を１／Ｎ（Ｎ＜７０）、フレーム周波数をＦ［Ｈｚ］、パルス周期をＰ［μｓ］、Ｐ＝１０6／（Ｎ・Ｆ）としたときに、１３０＜Ｐ＜２３０とし、且つ、パルス周期内において、最もオフ電圧となる期間が長い階調のオン電圧となる期間をＰ0、最もオン電圧となる期間が長い階調のオフ電圧となる期間をＰM、α＝｛１／（１３０−Ｎ）｝・｛（Ｐ0＋ＰM）／Ｐ｝としたときに、０．５×１０3＜α＜５×１０3とする。【選択図】  図３
2007101600.tif 000002
【特許請求の範囲】
【請求項１】
複数の走査線と、前記複数の走査線に交差する複数のデータ線と、前記走査線と前記データ線との各交差位置に対応して設けられた複数の画素とを有する電気光学パネルと、前記複数の走査線に対して、選択信号を選択期間に与え、非選択信号を非選択期間に与えて、順次走査する走査線駆動回路と、前記走査線駆動回路による走査に同期しながら、前記複数のデータ線に所定の画素に対して所定の階調でパルス幅変調されたデータ信号を出力する信号線駆動回路とを備え、階調表示を行う電気光学装置であって、
前記パルス幅変調のデューティー比を１／Ｎ（Ｎ＜７０）、フレーム周波数をＦ［Ｈｚ］、パルス周期をＰ［μｓ］、Ｐ＝１０6／（Ｎ・Ｆ）としたときに、
１３０＜Ｐ＜２３０
であり、且つ、
前記パルス周期内において、最もオフ電圧となる期間が長い階調のオン電圧となる期間をＰ0、最もオン電圧となる期間が長い階調のオフ電圧となる期間をＰM、α＝｛１／（１３０−Ｎ）｝・｛（Ｐ0＋ＰM）／Ｐ｝としたときに、
０．５×１０3＜α＜５×１０3
であることを特徴とする電気光学装置。
【請求項２】
前記αは、
１×１０3＜α＜４×１０3
であることを特徴とする請求項１に記載の電気光学装置。
【請求項３】
前記電気光学パネルは、パッシブマトリックス駆動方式を用いた液晶パネルであることを特徴とする請求項１又は２に記載の電気光学装置。
【請求項４】
前記走査信号及び前記データ信号の電圧極性を、同時に１フレーム内で複数回反転させたライン反転駆動方式を用いることを特徴とする請求項１〜３の何れか一項に記載の電気光学装置。
【請求項５】
複数の走査線と、前記複数の走査線に交差する複数のデータ線と、前記走査線と前記データ線との各交差位置に対応して設けられた複数の画素とを有する電気光学パネルの複数の走査線に対して、選択信号を選択期間に与え、非選択信号を非選択期間に与えて、順次走査し、この走査に同期しながら、複数のデータ線に所定の画素に対して所定の階調でパルス幅変調されたデータ信号を出力し、階調表示を行う電気光学装置の駆動方法であって、
前記パルス幅変調のデューティー比を１／Ｎ（Ｎ＜７０）、フレーム周波数をＦ［Ｈｚ］、パルス周期をＰ［μｓ］、Ｐ＝１０6／（Ｎ・Ｆ）としたときに、
１３０＜Ｐ＜２３０
とし、且つ、
前記パルス周期内において、最もオフ電圧となる期間が長い階調のオン電圧となる期間をＰ0、最もオン電圧となる期間が長い階調のオフ電圧となる期間をＰM、α＝｛１／（１３０−Ｎ）｝・｛（Ｐ0＋ＰM）／Ｐ｝としたときに、
０．５×１０3＜α＜５×１０3
とすることを特徴とする電気光学装置の駆動方法。
【請求項６】
前記αを、
１×１０3＜α＜４×１０3
とすることを特徴とする請求項１に記載の電気光学装置の駆動方法。
【請求項７】
前記電気光学パネルとして、パッシブマトリックス駆動方式を用いた液晶パネルを用いることを特徴とする請求項１又は２に記載の電気光学装置の駆動方法。
【請求項８】
前記走査信号及び前記データ信号の電圧極性を、同時に１フレーム内で複数回反転させたライン反転駆動方式を用いることを特徴とする請求項５〜７の何れか一項に記載の電気光学装置の駆動方法。
【請求項９】
請求項１〜４の何れか一項に記載の電気光学装置又は請求項５〜８の何れか一項に記載の駆動方法により駆動される電気光学装置を備えたことを特徴とする電子機器。
【発明の詳細な説明】
【技術分野】
【０００１】
本発明は、電気光学装置、電気光学装置の駆動方法、電子機器に関する。
【背景技術】
【０００２】
例えば、電気光学装置の一種である液晶装置は、電極構成や駆動方式などに応じて種々のタイプに分類することができる。例えば、液晶装置の駆動方式としては、トランジスタやダイオードなどのスイッチング素子を用いたアクティブマトリックス駆動方式と、このようなスイッチング素子を用いないパッシブマトリックス駆動方式とに大別することができる。このうち、パッシブマトリックス駆動方式は、スイッチング素子を用いないため、低消費電力化に適しており、製造が容易で低コストであるといった利点を有している（例えば、特許文献１〜３を参照。）。
【特許文献１】特開２００３−２３３３５９号公報
【特許文献２】特開２００３−２３３３６０号公報
【特許文献３】特開２００３−１７３１７０号公報
【発明の開示】
【発明が解決しようとする課題】
【０００３】
ところで、上述したパッシブマトリックス駆動方式を採用した液晶装置では、例えば図８（ａ）に模式的示すように、枠状の白表示の中に画像Ｓを黒表示したときに、黒表示を行うデータ線（以降セグメントラインとも呼ぶ。）ＳｅｇＡと、この黒表示に隣接して白表示を行うセグメントラインＳｅｇＢとの間で、図８（ｂ）に示すような焼き付きＲが生じることがあった。
【０００４】
具体的に、黒表示を行うセグメントラインＳｅｇＡと、これに隣接して白表示を行うセグメントラインＳｅｇＢとの間には高い電位差が生じるため、静止画などの同じ画像を長時間表示した場合には、イオンの吸着が発生して、上述した焼き付きＳが生じることがある。
【０００５】
本発明は、このような従来の事情に鑑みて提案されたものであり、焼き付きの発生を防止した信頼性の高い電気光学装置、及びその駆動方法、並びにそのような電気光学装置を備えた電子機器を提供することを目的とする。
【課題を解決するための手段】
【０００６】
この目的を達成するために、本発明に係る電気光学装置は、複数の走査線と、複数の走査線に交差する複数のデータ線と、走査線とデータ線との各交差位置に対応して設けられた複数の画素とを有する電気光学パネルと、複数の走査線に対して、選択信号を選択期間に与え、非選択信号を非選択期間に与えて、順次走査する走査線駆動回路と、走査線駆動回路による走査に同期しながら、複数のデータ線に所定の画素に対して所定の階調でパルス幅変調されたデータ信号を出力する信号線駆動回路とを備え、階調表示を行う電気光学装置であって、パルス幅変調のデューティー比を１／Ｎ（Ｎ＜７０）、フレーム周波数をＦ［Ｈｚ］、パルス周期をＰ［μｓ］、Ｐ＝１０6／（Ｎ・Ｆ）としたときに、１３０＜Ｐ＜２３０であり、且つ、パルス周期内において、最もオフ電圧となる期間が長い階調のオン電圧となる期間をＰ0、最もオン電圧となる期間が長い階調のオフ電圧となる期間をＰM、α＝｛１／（１３０−Ｎ）｝・｛（Ｐ0＋ＰM）／Ｐ｝としたときに、０．５×１０3＜α＜５×１０3であることを特徴とする。
この構成によれば、パルス周期Ｐ、最もオフ電圧となる期間が長い階調のオン電圧となる期間Ｐ0、及び最もオン電圧となる期間が長い階調のオフ電圧となる期間ＰMを最適化することで、焼き付きの発生を防ぐことができる。
【０００７】
さらに、本発明に係る電気光学装置は、１×１０3＜α＜４×１０3であることが好ましい。
これにより、焼き付きの発生を防ぐと共に、コントラストの低下を抑えることができる。
【０００８】
また、本発明に係る電気光学装置は、電気光学パネルがパッシブマトリックス駆動方式を用いた液晶パネルである構成であってもよい。
この場合、パッシブマトリックス駆動方式を用いた液晶パネルの焼き付きの発生を効果的に防ぐことができる。
【０００９】
また、本発明に係る電気光学装置は、走査信号及びデータ信号の電圧極性を、同時に１フレーム内で複数回反転させたライン反転駆動方式を用いる構成であってもよい。
この場合、ライン反転駆動方式を用いた構成において焼き付きの発生を効果的に防ぐことができる。
【００１０】
一方、本発明に係る電気光学装置の駆動方法は、複数の走査線と、複数の走査線に交差する複数のデータ線と、走査線とデータ線との各交差位置に対応して設けられた複数の画素とを有する電気光学パネルの複数の走査線に対して、選択信号を選択期間に与え、非選択信号を非選択期間に与えて、順次走査し、この走査に同期しながら、複数のデータ線に所定の画素に対して所定の階調でパルス幅変調されたデータ信号を出力し、階調表示を行う電気光学装置の駆動方法であって、パルス幅変調のデューティー比を１／Ｎ（Ｎ＜７０）、フレーム周波数をＦ［Ｈｚ］、パルス周期をＰ［μｓ］、Ｐ＝１０6／（Ｎ・Ｆ）としたときに、１３０＜Ｐ＜２３０とし、且つ、パルス周期内において、最もオフ電圧となる期間が長い階調のオン電圧となる期間をＰ0、最もオン電圧となる期間が長い階調のオフ電圧となる期間をＰM、α＝｛１／（１３０−Ｎ）｝・｛（Ｐ0＋ＰM）／Ｐ｝としたときに、０．５×１０3＜α＜５×１０3とすることを特徴とする。
この駆動方法によれば、パルス周期Ｐ、最もオフ電圧となる期間が長い階調のオン電圧となる期間Ｐ0、及び最もオン電圧となる期間が長い階調のオフ電圧となる期間ＰMを最適化することで、焼き付きの発生を防ぐことができる。
【００１１】
さらに、本発明に係る電気光学装置の駆動方法は、１×１０3＜α＜４×１０3とすることが好ましい。
これにより、焼き付きの発生を防ぐと共に、コントラストの低下を抑えることができる。
【００１２】
また、本発明に係る電気光学装置の駆動方法は、電気光学パネルとして、パッシブマトリックス駆動方式の液晶パネルを用いた場合に、焼き付きの発生を防ぐことができる。
【００１３】
また、本発明に係る電気光学装置の駆動方法は、走査信号及びデータ信号の電圧極性を、同時に１フレーム内で複数回反転させたライン反転駆動方式を用いた場合に、焼き付きの発生を防ぐことができる。
【００１４】
一方、本発明に係る電子機器は、上述した何れかの電気光学装置又は駆動方法により駆動される電気光学装置を備えたことを特徴とする。
この構成によれば、電気光学装置の焼き付きの発生を防ぐことによって、良好な表示特性と高い信頼性とを兼ね備えた電子機器を提供することができる。
【発明を実施するための最良の形態】
【００１５】
以下、本発明の実施の形態について、本発明を電気光学装置の一例である液晶装置に適用した場合を例に挙げて説明する。なお、以降の説明では図面を用いて各種の構造を例示するが、これらの図面に示される構造は特徴的な部分を分かり易く示すために実際の構造に対して寸法を異ならせて示す場合がある。
【００１６】
（電気光学装置）
先ず、図１に示す本実施形態に係る液晶装置１００の構成について説明する。
図１は、本実施形態に係る液晶装置１００の構成を示すブロック図である。
この液晶装置１００は、図１に示すように、液晶表示パネル１０１と、コントローラ１０２と、走査線駆動回路１０３と、データ線駆動回路１０４と、電源回路１０５と、階調信号発生回路１０６とを備えて概略構成されている。
【００１７】
液晶表示パネル１０１は、パッシブマトリックス駆動方式を採用した液晶パネル（電気光学パネル）であり、それぞれが行方向（Ｘ方向）に延在する複数の走査線２０１と、それぞれが列方向（Ｙ方向）に延在する複数のデータ線２０２と、これら走査線２０１とデータ線２０２との各交差位置に対応して設けられた複数の画素２０３とを有している。具体的に、液晶表示１０１パネルは、一対の基板間に液晶（電気光学物質）を挟持してなるものであり、パッシブマトリックス駆動方式の場合、一方の基板の内面側に設けられて、各走査線２０１と電気的に接続された帯状の走査電極と、他方の基板の内面側に設けられて、各データ線２０２と電気的に接続された帯状のデータ電極とが互いに交差する位置において各画素２０３が構成されている。
【００１８】
コントローラ１０２は、走査線駆動回路１０３、データ線駆動回路１０４及び電源回路１０５及び階調信号発生回路１０６と接続されており、メモリに格納されたプログラム又は外部からの命令に従って、これら走査線駆動回路１０３、データ線駆動回路１０４及び電源回路１０５及び階調信号発生回路１０６の制御を行う。
【００１９】
すなわち、コントローラ１０２は、これら走査線駆動回路１０３、データ線駆動回路１０４及び電源回路１０５及び階調信号発生回路１０６に対して制御信号を供給する。
具体的に、走査線駆動回路１０３に対しては、１垂直走査期間（１Ｆ）を規定するスタートパルス信号ＤＹと、１水平走査期間、すなわち１本の走査線２０１を選択する１選択期間（１Ｈ）を規定するクロック信号ＣＬＹとを供給する。
データ線駆動回路１０４に対しては、データ書込用のドットクロック信号であるクロック信号ＣＬＸと、表示データＤＴと、書き込まれたデータを１選択期間保持するラッチパルスＬＰとを供給する。
階調信号発生回路１０６に対しては、ラッチパルス信号ＬＰと、階調基準クロックＣＬＧを供給する。
【００２０】
走査線駆動回路１０３は、コントローラ１０２及び液晶表示パネル１０１の各走査線２０１と接続されている。この走査線駆動回路１０３は、コントローラ１０２による制御に基づいて、走査線２０１に走査信号を出力することによって、１選択区間（１Ｈ）毎に、走査線２０１を順番に選択していく。このような走査により、１フレーム期間（１Ｆ）において、所定の走査方向に（一般的には最上から最下に向かって）、データの書き込み対象となる画素行が順次に選択されていく。
【００２１】
データ線駆動回路１０４は、コントローラ１０２、階調信号発生回路１０６及び液晶表示パネル１０１の各データ線２０２と接続されている。このデータ線駆動回路１０４は、コントローラ１０２と階調信号発生回路１０６から供給されるＧＣＰ信号に基づいて、走査線駆動回路１０３によって選択された画素行に対するデータ信号の出力を行う。具体的には、今回の１Ｈでデータを書き込むべき画素行に対して、表示データ及びＧＣＰ信号に基づく階調パルスの出力と、次の１Ｈでデータを書き込むべき画素行に関するデータの点順次的なラッチとが並行して行われる。
【００２２】
電源回路１０５は、コントローラ１０２、走査線駆動回路１０３及びデータ線駆動回路１０４と接続されている。電源回路１０５は、コントローラ１０２による制御に基づいて、走査線２０１の走査に必要な電圧を生成し、これを走査線駆動回路１０３に供給すると共に、データ線２０２の駆動に必要な電圧を生成し、これをデータ線駆動回路１０４に供給する。
【００２３】
階調信号発生回路１０６は、例えば図２に示すように、階調データ記憶装置３０１と、カウンタ３０２と、コンパレータ３０３と、制御回路３０４とを備えて構成されている。このうち、階調データ記憶装置３０１は、コントローラ１０２または外部から各階調に応じたオン電圧のパルス幅を規定しているデータが書き込まれる。また、制御回路３０４から供給されるアドレスにより、所定の階調データをコンパレータ３０３に出力する。カウンタ３０２は、クロック信号ＣＬＧの立ち上がり又は立ち下がり回数をカウントし、そのカウント値をコンパレータ３０３に出力する。また、カウンタ３０２は、ラッチパルス信号ＬＰをリセット信号として初期化される。コンパレータ３０３は、カウンタ３０２からのカウント値と、階調データ記憶装置３０１からの階調データとを比較し、一致した場合はパルスを制御回路３０４に出力する。制御回路３０４は、パルスをデータ線駆動回路１０４に出力するとともに階調データ記憶装置のアドレスを＋１とする。また、制御回路３０４は、ラッチパルス信号ＬＰをリセット信号として初期化される。
このように１選択期間に階調数に応じたパルスをＧＣＰ信号としてデータ線駆動回路１０４に出力する。ＧＣＰ信号のパルスの立ち上がりまたは立ち下りタイミングは、各階調に応じたオン電圧のパルス幅を規定している。
【００２４】
（電気光学装置の駆動方法）
次に、本実施形態に係る液晶装置１００の駆動方法について説明する。
本実施形態では、上述した図８（ａ）に示す枠状の白表示の中に画像Ｓを黒表示した場合を例に挙げて説明する。
図３は、データ線駆動回路１０４によってパルス幅変調されたデータ信号の波形図であり、（ａ）は、最もオフ電圧となる期間が長い階調（０階調）の波形図を示し、（ｂ）は、最もオン電圧となる期間が長い階調（Ｍ階調）の波形図を示す。
【００２５】
本発明者らは、上述した図８（ｂ）に示す焼き付きＲの発生原因について検討を行った結果、パッシブマトリクス駆動方式を用いた液晶表示パネル１０１において、パルス幅変調のディーティー比が１／７０以下の場合に焼き付きが生じやすく、その原因がパルス周期Ｐが長いことによることを見出した。
さらに、パルス周期Ｐ内において、図３（ａ）に示す最もオフ電圧となる期間が長い階調（０階調）のオン電圧となる期間Ｐ0が短かったり、図３（ｂ）に示す最もオン電圧となる期間が長い階調（Ｍ階調）のオフ電圧となる期間ＰMが短かったりすることも、上述した焼き付きの発生原因があることを見出した。
本発明者らは、以上のような知見に基づき、パルス周期Ｐ、０階調目のオン電圧となる期間Ｐ0、及びＭ階調目のオフ電圧となる期間ＰMの最適化を行い、本発明を完成するに至った。
【００２６】
すなわち、本発明は、パルス幅変調のデューティー比を１／Ｎ（Ｎ＜７０）、フレーム周波数をＦ［Ｈｚ］、パルス周期をＰ［μｓ］とし、Ｐ＝１０6／（Ｎ・Ｆ）としたときに、１３０＜Ｐ＜２３０とし、且つ、パルス周期Ｐ内において、最もオフ電圧となる期間が長い階調（０階調）のオン電圧となる期間をＰ0、最もオン電圧となる期間が長い階調（Ｍ階調）のオフ電圧となる期間をＰM、α＝｛１／（１３０−Ｎ）｝・｛（Ｐ0＋ＰM）／Ｐ｝としたときに、０．５×１０3＜α＜５×１０3とすることを特徴とする。
【００２７】
この場合、図４に示すように、０階調目のオン電圧となる期間Ｐ0及びＭ階調目のオフ電圧となる期間ＰMを本来の階調による期間よりも長くすることで、黒表示を行うセグメントラインＳｅｇＡと、この黒表示に隣接して白表示を行うセグメントラインＳｅｇＢとの間で等電位となる時間を設けることができる。これにより、上述した焼き付きＲの発生を防ぐことができる。
【００２８】
ところで、０階調目のオン電圧となる期間Ｐ0及びＭ階調目のオフ電圧となる期間ＰMを長くすると、０階調目とＭ階調目との実効電圧比が小さくなり、コントラスト比の低下が懸念される。しかしながら、図５に示すように、デューティー比が１／７０以下のパルス幅変調駆動であるため、０階調目とＭ階調目の実効電圧比は、液晶の駆動電圧に対する輝度の急峻性より大きくなる。これは、駆動電圧に対してコントラスト比が一定となる範囲であるから、０階調目とＭ階調目の実効電圧比が小さくなったとしても、コントラストの低下を防ぐことができる。
【００２９】
前記液晶装置１００は、上述した図１に示す構成に限定されるものではなく、例えば図６に示すように、走査信号及びデータ信号の電圧極性を、同時に１フレーム内で複数回反転させたライン反転駆動方式を用いた構成とすることもできる。
【００３０】
具体的に、このライン反転駆動方式を採用した場合には、上述した図１に示す構成に加えて極性切替回路１０７を備えた構成とする。この極性切替回路１０７は、コントローラ１０２、走査線駆動回路１０３及びデータ線駆動回路１０４と接続されており、コントローラ１０２の制御に基づいて、走査信号及びデータ信号の電圧極性を、同時に１フレーム内で複数回反転させるための極性反転信号ＰＯＬを走査線駆動回路１０３及びデータ線駆動回路１０４に供給する。
【００３１】
本発明では、このようなライン反転駆動方式を用いた構成でも、上述したパルス周期Ｐ、０階調目のオン電圧となる期間Ｐ0、及びＭ階調目のオフ電圧となる期間ＰMを最適化することで、焼き付きの発生を防ぐことができる。
【００３２】
また、前記液晶装置１００は、高コントラスト化や低電圧駆動化などを図るため、複数本の走査線を同時に選択するＭＬＳ(Multi Line Selection)駆動方式を用いることも可能である。また、本発明は、このようなＭＬＳ駆動方式や通常駆動方式においても、焼き付きの発生を防ぐことができる。
【００３３】
（電子機器）
次に、本実施形態に係る電子機器の一具体例として、図７に示す携帯電話機１０００について説明する。
図７は、携帯電話機１０００の外観を示す斜視図である。この携帯電話機１０００の表示部１００１には、上記液晶装置１００が採用されている。したがって、この携帯電話機１０００では、上述した焼き付きの発生を防止することによって、良好な表示特性と高い信頼性を得ることが可能である。
【００３４】
なお、本発明の液晶表示装置（電気光学装置）は、上記携帯電話機に限らず、例えば、電子ブックや、パーソナルコンピュータ、ディジタルスチルカメラ、液晶テレビ、ビューファインダ型あるいはモニタ直視型のビデオテープレコーダ、カーナビゲーション装置、ページャ、電子手帳、電卓、ワードプロセッサ、ワークステーション、テレビ電話、ＰＯＳ端末、タッチパネルなどの電子機器の表示部（画像表示手段）として好適に用いることができる。
【００３５】
なお、本発明において、電気光学物質、電気光学パネル、電気光学装置とは、電界により物質の屈折率が変化して光の透過率を変化させる電気光学効果を有するものの他、電気エネルギーを光学エネルギーに変換するもの等も含んで総称している。
【００３６】
以上、図面を参照しながら本発明の実施の形態について説明したが、本発明はこれらの例に限定されないことは言うまでもない。すなわち、上述した例において示した各構成部材の諸形状や組み合わせ等は一例であって、本発明の主旨から逸脱しない範囲において設計要求等に基づき種々の変更が可能である。
【実施例】
【００３７】
以下、実施例により本発明の効果を明らかなものとする。なお、本発明は、以下の実施例に限定されるものではなく、その要旨を変更しない範囲で適宜変更して実施することができる。
本実施例では、パッシブマトリクス駆動方式を採用した液晶装置を用いて、上述した図８（ａ）に示す枠状の白表示の中に画像Ｓを黒表示した。そして、上述したＰ＝１０6／（Ｎ・Ｆ）、α＝｛１／（１３０−Ｎ）｝・｛（Ｐ0＋ＰM）／Ｐ｝の２式を用いて、Ｎ、Ｆ、Ｐ0、ＰMの各値を変化させたパルス幅変調駆動を行った際の焼き付きレベル、コントラスト及び電流値についての評価を行った。その評価結果を表１に示す。
【００３８】
【表１】
2007101600.tif 000003
【００３９】
なお、表１中に示す焼き付きレベルは、図８（ａ）のパターンを１６時間点灯した後、所定の階調全面表示を行い、焼き付き具合を目視により観察した。その評価については、以下のとおりである。
◎：「Ｍ／３階調全面表示で焼き付きが見られなかった。」
○：「Ｍ／３階調全面表示で焼き付きが見られた。」
△：「２Ｍ／３階調全面表示で焼き付きが見られた。」
×：「Ｍ階調全面表示で焼き付きが見られた。」
【００４０】
また、表１中に示すコントラストは、従来例１に対するコントラストの比率であり、その評価については、以下のとおりである。
◎：「１．００〜０．９６」
○：「０．９５〜０．８６」
△：「０．８５〜０．７６」
×：「０．７５以下」
【００４１】
また、表１中に示す電流値は、従来例１に対する電流値の比率、その評価については、以下のとおりである。
◎：「１．００〜１．２４」
○：「１．２５〜１．４９」
△：「１．５０〜１．７４」
×：「１．７５以上」
【００４２】
表１に示す評価果から、Ｐの値が大きいと焼き付きが生じやすく、Ｐの値が小さくと電流値が増えることがわかる。そして、その好ましい範囲は、１３０μｓ＜Ｐ＜２３０μｓである。
一方、表１に示す評価果から、αの値が大きいとコントラストの低下を招き、αの値が小さいと焼き付きが生じやすくなることがわかる。そして、その好ましい範囲は、０．５×１０3＜α＜５×１０3であり、更に好ましい範囲は、１×１０3＜α＜４×１０3である。
【図面の簡単な説明】
【００４３】
【図１】本実施形態に係る液晶装置の全体構成を示すブロック図である。
【図２】階調信号発生回路の構成を示すブロック図である。
【図３】パルス幅変調されたデータ信号の波形図であり、（ａ）は、０階調の波形図を示であり、（ｂ）は、Ｍ階調の波形図である。
【図４】焼き付きの発生防止を説明するための波形図である。
【図５】液晶の駆動電圧に対する輝度とコントラストとの関係を示すグラフである。
【図６】ライン反転駆動方式を用いた場合の液晶装置の全体構成を示すブロック図である。
【図７】本実施形態に係る電子機器の一例を示す斜視図である。
【図８】焼き付きの発生を説明するための模式図である。
【符号の説明】
【００４４】
１００…液晶装置（電気光学装置）、１０１…液晶表示パネル（電気光学パネル）、１０３…走査線駆動回路、１０４…データ線駆動回路、２０１…走査線、２０２…データ線、２０３…画素、１０００…携帯電話機（電子機器）
【図１】
2007101600.tif 000004
【図２】
2007101600.tif 000005
【図３】
2007101600.tif 000006
【図４】
2007101600.tif 000007
【図５】
2007101600.tif 000008
【図６】
2007101600.tif 000009
【図７】
2007101600.tif 000010
【図８】
2007101600.tif 000011